(57)【要約】【課題】床面との摩擦力が大きい全方向移動車輪を用いた場合においても床面の磨耗（特に誘導体の磨耗）を低減することができる無人搬送車が望まれていた。【解決手段】本発明に係る無人搬送車は、複数の回転体を備えた全方向移動車輪と、床面に敷設された誘導帯を検知するための誘導帯検知手段を備え、誘導帯検知手段は、２つ以上の誘導帯検知センサを等間隔に配置したものを一組とするセンサ群をｎ組（ｎは２以上の整数）備えたものであることを特徴とする。【選択図】図４
2014238685.tif 000002
【特許請求の範囲】
【請求項１】
複数の回転体を備えた全方向移動車輪と、
床面に敷設された誘導帯を検知するための誘導帯検知手段を備え、
前記誘導帯検知手段は、
２つ以上の誘導帯検知センサを等間隔に配置したものを一組とするセンサ群をｎ組（ｎは２以上の整数）備えたものであることを特徴とする無人搬送車。
【請求項２】
前記センサ群が、
５〜６０ｍｍの間隔で配置されていることを特徴とする請求項１に記載の無人搬送車。
【請求項３】
前記誘導帯検知センサが、
５〜２０ｍｍの間隔で配置されていることを特徴とする請求項１または請求項２に記載の無人搬送車。
【請求項４】
前記センサ群を、
無人搬送車の前後および／または左右に設けたことを特徴とする請求項１から請求項３のいずれか一項に記載の無人搬送車。
【請求項５】
請求項１から請求項４のいずれか一項に記載の無人搬送車をｎ種類（ｎは２以上の整数）用い、
第１の無人搬送車には前記センサ群のうちの第１のセンサ群を用いて前記誘導帯を検知させ、
第ｎ（ｎは２以上の整数）の無人搬送車には前記センサ群のうちの第ｎ（ｎは２以上の整数）のセンサ群を用いて前記誘導帯を検知させることによって、
無人搬送車に複数の走行経路を走行させ、全方向移動車輪の回転体による床面の摩耗を低減することを特徴とする無人搬送車の制御方法。
【請求項６】
請求項１から請求項４のいずれか一項に記載の無人搬送車を４種類用い、
第１の無人搬送車には前記センサ群のうちの第１のセンサ群を用いて前記誘導帯を検知させ、
第２の無人搬送車には前記センサ群のうちの第２のセンサ群を用いて前記誘導帯を検知させ、
第３の無人搬送車には前記センサ群のうちの第３のセンサ群を用いて前記誘導帯を検知させ、
第４の無人搬送車には前記センサ群のうちの第４のセンサ群を用いて前記誘導帯を検知させることによって、
無人搬送車に複数の走行経路を走行させ、全方向移動車輪の回転体による床面の摩耗を低減することを特徴とする無人搬送車の制御方法。
【発明の詳細な説明】
【技術分野】
【０００１】
本発明は無人搬送車に係り、さらに詳しくは全方向移動車輪と、誘導帯を検知するため誘導帯検知センサを２つ以上等間隔に配置したものを一組とするセンサ群をｎ組（ｎは２以上の整数）備えた誘導帯検知手段とを備えることによって、床面との摩擦力が大きい全方向移動車輪を用いた場合においても床面の磨耗（特に誘導体の磨耗）を低減することができる無人搬送車に関するものである。
【背景技術】
【０００２】
工場や倉庫等で部品・半製品・製品等を搬送する無人搬送車（ＡＧＶ：Ａｕｔｏｍａｔｉｃ  Ｇｕｉｄｅｄ  Ｖｅｈｉｃｌｅ）は広く知られており、各種の技術が開発されている。
その中でもオムニホイールやメカナムホイールといった全方向移動車輪を車輪に用いることで不特定の方向に容易に移動することができる無人搬送車が開示されている（特許文献１、２を参照）。
【先行技術文献】
【特許文献】
【０００３】
【特許文献１】特開平１１−２６５２１１号公報
【特許文献２】特開２０１１−２１６００７号公報
【特許文献３】特公昭５７−１６００１号公報
【発明の概要】
【発明が解決しようとする課題】
【０００４】
ここで、このような全方向移動車輪は、オムニホイールを例に取れば特許文献１の［図２］に記載されているような回転体（オムニ車輪２１）が複数設けられた構造に、メカナムホイールを例に取れば特許文献３の［図１］、［図２］に記載されているような回転体（ローラ９）が複数設けられた構造になっており、かかる回転体が自転しながら車軸を中心に公転する構造となっている。
そして、このような全方向移動車輪を用いた無人搬送車は、図５に示す通り、各車輪を異なった方向や速度で回転させることで各車輪に異なる移動方向および駆動力（ベクトル）を発生させ、全車輪の移動方向および駆動力の和（ベクトルの和）によって、車体の向きを変えずに真横や斜め方向など所望する方向に車体を移動させる構造となっている。
よって、回転体と床面との摩擦力はタイヤ等の通常の車輪を用いたものよりも大きくなることとなる。
【０００５】
また、一般的に無人搬送車は、走行させたい経路に沿って床面に敷設または埋設した磁気テープなどの誘導帯を無人搬送車に設けた誘導帯検知センサが検知しながら走行することで常に同一の経路を走行させる機構となっている。
【０００６】
従って、全方向移動車輪を用いた無人搬送車において上記した従来の無人搬送車と同じような走行機構（常に同一の経路を走行させる機構）を採用してしまうと、全方向移動車輪の回転体と床面との摩擦力が大きいために、通常の車輪を用いた無人搬送車に比べて全方向移動車輪が通過する床面部分が磨耗しやすくなってしまうという問題がある。特に、無人搬送車は通常、工場や倉庫内で複数台を同時に稼動させることが一般的であることから、全方向移動車輪を用いた無人搬送車においては床面がより磨耗しやすくなってしまうことになる。
【０００７】
また、無人搬送車は一般的に前後方向への移動が多いことから、全方向移動車輪を用いた無人搬送車を用いると前後方向の車輪通過部分の床面が磨耗しやすくなってしまうという問題がある。
【０００８】
さらに、全方向移動車輪を用いた無人搬送車は、前後方向の移動から車体の向きを変えずに真横や斜め方向などへ車体を移動させることを特徴とするものであることから、常に同一の経路を走行させることによって全方向移動車輪が通過する床面部分が磨耗してしまうと、全方向移動車輪の特徴を生かしたスムースな方向移動ができなくなってしまうという問題がある。
具体的には、前後方向の走行経路から離脱して、真横や斜め方向など全く別の走行経路に移動するような走行をするような場合には、前後方向の走行経路の床面部分が磨耗してしまっていわゆる轍ができてしまうと、無人搬送車はかかる轍を乗り越えて別の走行経路に移動しなければならないことになり、スムースな方向移動ができなくなってしまうのである。
【０００９】
加えて、無人搬送車が走行方向を変化させる際には敷設された誘導帯の上または誘導帯が埋設された床面の上を全方向移動車輪が通過する場合があり、このような場合には常に同一の経路を走行させてしまうと誘導帯を損傷させてしまうという問題もある。
【００１０】
本発明は、上記した従来の問題点に鑑みてなされたものであって、床面との摩擦力が大きい全方向移動車輪を用いた場合においても床面の磨耗（特に誘導体の磨耗）を低減することができる無人搬送車の提供を目的とするものである。
【課題を解決するための手段】
【００１１】
上記目的を達成するために、本発明の請求項１に係る無人搬送車は、複数の回転体を備えた全方向移動車輪と、床面に敷設された誘導帯を検知するための誘導帯検知手段を備え、誘導帯検知手段は、２つ以上の誘導帯検知センサを等間隔に配置したものを一組とするセンサ群をｎ組（ｎは２以上の整数）備えたものであることを特徴とする。
【００１２】
本発明の請求項２に係る無人搬送車は、センサ群が、５〜６０ｍｍの間隔で配置されていることを特徴とする。
【００１３】
本発明の請求項３に係る無人搬送車は、誘導帯検知センサが、５〜２０ｍｍの間隔で配置されていることを特徴とする。
【００１４】
本発明の請求項４に係る無人搬送車は、センサ群を、無人搬送車の前後および／または左右に設けたことを特徴とする。
【００１５】
本発明の請求項５に係る無人搬送車の制御方法は、請求項１から請求項４のいずれか一項に記載の無人搬送車をｎ種類（ｎは２以上の整数）用い、第１の無人搬送車にはセンサ群のうちの第１のセンサ群を用いて誘導帯を検知させ、第ｎ（ｎは２以上の整数）の無人搬送車にはセンサ群のうちの第ｎ（ｎは２以上の整数）のセンサ群を用いて誘導帯を検知させることによって、無人搬送車に複数の走行経路を走行させ、全方向移動車輪の回転体による床面の摩耗を低減することを特徴とする。
【００１６】
本発明の請求項６に係る無人搬送車の制御方法は、請求項１から請求項４のいずれか一項に記載の無人搬送車を４種類用い、第１の無人搬送車にはセンサ群のうちの第１のセンサ群を用いて誘導帯を検知させ、第２の無人搬送車にはセンサ群のうちの第２のセンサ群を用いて誘導帯を検知させ、第３の無人搬送車にはセンサ群のうちの第３のセンサ群を用いて誘導帯を検知させ、第４の無人搬送車にはセンサ群のうちの第４のセンサ群を用いて誘導帯を検知させることによって、無人搬送車に複数の走行経路を走行させ、全方向移動車輪の回転体による床面の摩耗を低減することを特徴とする。
【発明の効果】
【００１７】
本発明に係る無人搬送車および無人搬送車の制御方法によれば、２つ以上の誘導帯検知センサを等間隔に配置したものを一組とするセンサ群とするとともに、かかるセンサ群を複数組設けることによって、全方向移動車輪を用いた無人搬送車の走行経路を少しずつずらして走行させることができる。従って、従来の無人搬送車のように常に同一の経路を走行させることを回避することができ、その結果、床面との摩擦力が大きい全方向移動車輪を用いた無人搬送車においても、回転体による床面の摩耗を低減することができる。
【００１８】
また、本発明に係る無人搬送車によれば、センサ群および誘導帯検知センサを特定の間隔で配置したり、センサ群を車体の前後および／または左右に設けたりすることによって、上記の効果をより顕著なものとすることができる。
【００１９】
さらに、本発明の請求項６に係る無人搬送車の制御方法によれば、無人搬送車を３種類用いることによって、無人搬送車が走行する走行帯（無人搬送車の走行のために占拠されるスペース）の幅を最小にしつつ、全方向移動車輪の回転体による床面の摩耗を低減することができる。
【図面の簡単な説明】
【００２０】
【図１】本発明に係る無人搬送車を示す斜視図である。
【図２】本発明に係る無人搬送車を示す平面模式図である。
【図３】本発明に係る無人搬送車に用いられる誘導帯検知手段を示す模式図である。
【図４】本発明に係る無人搬送車の動きを示す模式図である。
【図５】全方向移動車輪を用いた無人搬送車における移動時の全方向移動車輪の動きを示す模式図である。
【発明を実施するための形態】
【００２１】
本発明の実施形態を図面に基づいて説明する。なお、以下に述べる実施形態は本発明を具体化した一例に過ぎず、本発明の技術的範囲を限定するものでない。図１は本発明に係る無人搬送車を示す斜視図であり、図２は本発明に係る無人搬送車を示す平面模式図であり、図３は本発明に係る無人搬送車に用いられる誘導帯検知手段を示す模式図であり、図４は本発明に係る無人搬送車の動きを示す模式図である。
【００２２】
まず、本発明にかかる無人搬送車１の構成を図１〜図４に基づいて説明する。
本発明にかかる無人搬送車１は、車体２、全方向移動車輪３と車体２に設けられた誘導帯検知手段４を主要部品として構成されている。
【００２３】
車体２には非接触の受電コイル、バッテリ、全方向移動車輪を駆動させるためのモータ、誘導帯検知手段４を用いて無人搬送車１を走行経路上で走行させるための制御手段（ともに図示せず）などが設けられている。
【００２４】
全方向移動車輪３は、本実施形態においてはメカナムホイールを用いた形態のものとなっているが、これに限定されるものではなく、オムニホイールなど各種の全方向移動車輪を用いることができる。
【００２５】
誘導帯検知手段４は、図３に示す通り８つの誘導帯検知センサ５を１ユニットとして構成されているものであり、かかるユニットが図２に示す通り車体２の前後および左右にそれぞれ１対ずつ合計４つ設けられている構造となっている。
なお、本実施形態においては８つの誘導帯検知センサ５を７ｍｍ間隔（Ｌ１）で配置したものを１ユニットとしているが、これに限定されるものではなく、必要に応じて２つ以上の任意のｎ個の誘導帯検知センサ５を１ユニットとすることができる。また、誘導帯検知センサ５間の間隔（Ｌ１）についても必要に応じて任意の間隔とすることができるが、一般的に使用される誘導体の幅等を考慮すると５〜６０ｍｍの間隔で配置することが好ましい。
さらに、本実施形態においてはかかるユニットを車体２の前後および左右に設けたものとなっているが、これに限定されるものではなく、必要に応じて車体の前後または左右のいずれかにのみ設けることもできる。
【００２６】
さらに誘導帯検知手段４は、任意の誘導帯検知センサ５を一組とするセンサ群６から構成されている。具体的には、本実施形態の誘導帯検知手段４は、図４に示す通り誘導帯検知センサ５うちの、５ａ、５ｃ、５ｅを一組とするセンサ群６ａと、５ｂ、５ｄ、５ｆを一組とするセンサ群６ｂと、５ｃ、５ｅ、５ｇを一組とするセンサ群６ｃと、５ｄ、５ｆ、５ｈを一組とするセンサ群６ｄから構成されている。
なお、本実施形態においてはセンサ群６ａとセンサ群６ｂ、センサ群６ｂとセンサ群６ｃ、センサ群６ｃとセンサ群６ｄを７ｍｍずらして配置（Ｌ２）し、センサ群６ａとセンサ群６ｃ、センサ群６ｂとセンサ群６ｄを１４ｍｍずらして配置（Ｌ３）し、センサ群６ａとセンサ群６ｄを２１ｍｍずらして配置（Ｌ４）した四組のセンサ群６から誘導帯検知手段４を構成しているが、これに限定されるものでなく、必要に応じて二組以上の任意のｎ組のセンサ群によって誘導帯検知手段４を構成することができる。また、センサ群の間隔（Ｌ２、Ｌ３）についても必要に応じて任意の間隔とすることができるが、誘導体の幅や使用する無人搬送車の種類等を考慮すると５〜６０ｍｍの間隔で配置することが好ましい。
【００２７】
次に、上記のように構成された無人搬送車１の動作および作用を次に説明する。図４は本発明に係る無人搬送車の動きを示す模式図である。なお、図４においては説明を容易にするために車体２の前方に設けた誘導帯検知手段４のみを記載しているが、車体２の後方に設けた誘導帯検知手段４も後記する動作と同様の動作を行うことになる。また、車体２の左右に設けた誘導帯検知手段４は前後方向の移動から横方向の移動に移行した際に使用されることになり、後記する動作と同種の動作を行うことになる。
【００２８】
また、本実施形態では３種類の無人搬送車１ａ、１ｂ、１ｃ、１ｄを稼働させる際の動作を示しているが、これに限定されるものでなく、必要に応じて２種類以上の任意のｎ種類の無人搬送車を稼働させる構成とすることもできる。さらに、図４においては簡略化するために、４種類の無人搬送車１ａ、１ｂ、１ｃ、１ｄを各１台ずつ記載しているが実際に工場や倉庫等で使用する場合にはそれぞれの種類の無人搬送車を複数台稼働させることが一般的である。
【００２９】
まず、第１の無人搬送車１ａについては、制御手段が誘導帯検知センサ５うちの５ａ、５ｃ、５ｅを一組とするセンサ群６ａを用いて床面８に敷設された誘導帯７を検知するように制御する。具体的には、誘導帯検知センサ５ｃが常に誘導体７を認識するように制御する。そして、両端の誘導帯検知センサ５ａおよび５ｅが誘導体７を認識した場合には第１の無人搬送車１ａが走行経路から外れつつあると判断して、誘導帯検知センサ５ａおよび５ｅの間に誘導体７が位置するように全方向移動車輪３ａの移動方向および駆動力を制御する。
従って、第１の無人搬送車１ａについては、走行を重ねると床面８の中でも第１の無人搬送車１ａの全方向移動車輪３ａが通過する部分９ａが摩耗していくことになる。
【００３０】
次に、第２の無人搬送車１ｂについては、制御手段が誘導帯検知センサ５うちの５ｂ、５ｄ、５ｆを一組とするセンサ群６ｂを用いて床面８に敷設された誘導帯７を検知するように制御する。具体的には、誘導帯検知センサ５ｄが常に誘導体７を認識するように制御する。そして、両端の誘導帯検知センサ５ｂおよび５ｆが誘導体７を認識した場合には第２の無人搬送車１ｂが走行経路から外れつつあると判断して、誘導帯検知センサ５ｂおよび５ｆの間に誘導体７が位置するように全方向移動車輪３ｂの移動方向および駆動力を制御する。
従って、第２の無人搬送車１ｂについては、走行を重ねると床面８の中でも第２の無人搬送車１ｂの全方向移動車輪３ｂが通過する部分９ｂが摩耗していくことになる。
【００３１】
次に、第３の無人搬送車１ｃについては、制御手段が誘導帯検知センサ５うちの５ｃ、５ｅ、５ｇを一組とするセンサ群６ｃを用いて床面８に敷設された誘導帯７を検知するように制御する。具体的には、誘導帯検知センサ５ｅが常に誘導体７を認識するように制御する。そして、両端の誘導帯検知センサ５ｃおよび５ｇが誘導体７を認識した場合には第３の無人搬送車１ｃが走行経路から外れつつあると判断して、誘導帯検知センサ５ｃおよび５ｇの間に誘導体７が位置するように全方向移動車輪３ｃの移動方向および駆動力を制御する。
従って、第３の無人搬送車１ｃについては、走行を重ねると床面８の中でも第３の無人搬送車１ｃの全方向移動車輪３ｃが通過する部分９ｃが摩耗していくことになる。
【００３２】
最後に、第４の無人搬送車１ｄについては、制御手段が誘導帯検知センサ５うちの５ｄ、５ｆ、５ｈを一組とするセンサ群６ｄを用いて床面８に敷設された誘導帯７を検知するように制御する。具体的には、誘導帯検知センサ５ｆが常に誘導体７を認識するように制御する。そして、両端の誘導帯検知センサ５ｄおよび５ｈが誘導体７を認識した場合には第３の無人搬送車１ｄが走行経路から外れつつあると判断して、誘導帯検知センサ５ｄおよび５ｈの間に誘導体７が位置するように全方向移動車輪３ｄの移動方向および駆動力を制御する。
従って、第３４の無人搬送車１ｄについては、走行を重ねると床面８の中でも第４の無人搬送車１ｄの全方向移動車輪３ｄが通過する部分９ｄが摩耗していくことになる。
【００３３】
そうすると、各無人搬送車の全方向移動車輪の通過部分９ａ、９ｂ、９ｃ、３ｄはいずれも重ならないことからその分床面の摩耗が低減されることになる。また、床面にいわゆる轍ができることを防止することができることから、全方向移動車輪の特徴である車体の向きを変えずに真横や斜め方向など所望する方向への車体の移動をスムースに行わせることができることになる。
【００３４】
また、床面の摩耗が低減されることから、床面に埋設または敷設された誘導体の磨耗を低減するとともに、損傷を抑制することができることになり、かかる点からも車体の移動をスムースに行わせることができることになる。
【００３５】
さらに、図４のように４種類の無人搬送車１を用いれば、無人搬送車が走行する走行帯（無人搬送車の走行のために占拠されるスペース）の幅を最小にしつつ、上記の技術的効果を得ることができることになる。
【産業上の利用可能性】
【００３６】
本発明は工場や倉庫等で部品・半製品・製品等を搬送する無人搬送車に用いることができる。
【符号の説明】
【００３７】
１    無人搬送車
１ａ    第１の無人搬送車
１ｂ    第２の無人搬送車
１ｃ    第３の無人搬送車
１ｄ    第４の無人搬送車
２    車体
３    全方向移動車輪
３ａ    全方向移動車輪
３ｂ    全方向移動車輪
３ｃ    全方向移動車輪
３ｄ    全方向移動車輪
４    誘導帯検知手段
５    誘導帯検知センサ
５ａ    誘導帯検知センサ
５ｂ    誘導帯検知センサ
５ｃ    誘導帯検知センサ
５ｄ    誘導帯検知センサ
５ｅ    誘導帯検知センサ
５ｆ    誘導帯検知センサ
５ｇ    誘導帯検知センサ
５ｈ    誘導帯検知センサ
６    センサ群
６ａ    センサ群
６ｂ    センサ群
６ｃ    センサ群
６ｄ    センサ群
７    誘導帯
８    床面
９    床面の全方向移動車輪の通過部分
９ａ    第１の無人搬送車の全方向移動車輪の通過部分
９ｂ    第２の無人搬送車の全方向移動車輪の通過部分
９ｃ    第３の無人搬送車の全方向移動車輪の通過部分
９ｄ    第４の無人搬送車の全方向移動車輪の通過部分
【図１】
2014238685.tif 000003
【図２】
2014238685.tif 000004
【図３】
2014238685.tif 000005
【図４】
2014238685.tif 000006
【図５】
2014238685.tif 000007